(57)【要約】  本発明は、デジタル写真用カメラと、物理ディスプレイ上に示される代替画像コンテンツとを同期させるための方法およびデバイスに関係し、画像データの各セットが個別の画像のシーケンスを包含する、画像データの少なくとも２つの異なるセットを生成することと；マスタ・クロック信号（Ｍ）を生成することと；前記画像データの少なくとも２つのセットの前記画像を、前記マスタ・クロック信号によってトリガされる前記物理ディスプレイ上にタイムスライス多重化態様で表示し、前記マスタ・クロック信号（Ｍ）に基づいてカメラ同期信号（Ｃ）を生成し、前記デジタル写真用カメラを用いて少なくとも１つの画像を取り込むためのカメラ作動信号（Ａ）を生成することと；前記カメラ同期信号（Ｃ）および前記カメラ作動信号（Ａ）に基づいて前記デジタル写真用カメラのための少なくとも１つのシャッタ・レリーズ信号（Ｓ）を生成することと；前記少なくとも１つのシャッタ・レリーズ信号（Ｓ）を前記デジタル写真用カメラのシャッタ・コントロール・ユニットへ送信することとを包含する。
2022500897.tif 000002
【特許請求の範囲】
【請求項１】
デジタル写真用カメラと、物理ディスプレイ上に示される代替画像コンテンツとを同期させるための方法であって：
画像データの各セットが個別の画像のシーケンスを包含する、前記画像データの少なくとも２つの異なるセットを生成することと；
マスタ・クロック信号（Ｍ）を生成することと；
前記画像データの少なくとも２つのセットの前記画像を、前記マスタ・クロック信号（Ｍ）によってトリガされる前記物理ディスプレイ上にタイムスライス多重化態様で表示することと；
前記マスタ・クロック信号（Ｍ）に基づいてカメラ同期信号（Ｃ）を生成することと、
前記デジタル写真用カメラを用いて少なくとも１つの画像を取り込むためのカメラ作動信号（Ａ）を生成することと；
前記カメラ同期信号（Ｃ）および前記カメラ作動信号（Ａ）に基づいて前記デジタル・スチル写真用カメラのための少なくとも１つのシャッタ・レリーズ信号（Ｓ）を生成することと；
前記少なくとも１つのシャッタ・レリーズ信号（Ｓ）を前記デジタル写真用カメラのシャッタ・コントロール・ユニットへ送信することと、
を包含する方法。
【請求項２】
前記シャッタ・レリーズ信号（Ｓ）は、前記カメラ同期信号（Ｃ）と前記カメラ作動信号（Ａ）の両方がアクティブのときだけのために生成される、請求項１に記載の方法。
【請求項３】
前記カメラ同期信号（Ｃ）は、前記シャッタ・レリーズ信号（Ｓ）が生成される前に前記マスタ・クロック信号（Ｍ）に関してあらかじめ決定済みの時間間隔で時間シフトされる、請求項２に記載の方法。
【請求項４】
前記シャッタ・レリーズ信号（Ｓ）は、前記シャッタ・コントロール・ユニットへ送信される前にあらかじめ決定済みの時間間隔で時間シフトされる、請求項２に記載の方法。
【請求項５】
複数のシャッタ・レリーズ信号（Ｓ）が生成される、請求項１乃至４のいずれか一項に記載の方法。
【請求項６】
前記マスタ・クロック信号（Ｍ）および／または前記カメラ作動信号（Ａ）は、方形パルスを包含する、請求項１乃至５のいずれか一項に記載の方法。
【請求項７】
前記物理ディスプレイは、ＬＥＤディスプレイである、請求項１乃至６のいずれか一項に記載の方法。
【請求項８】
前記ＬＥＤディスプレイは、看板または広告掲示板である、請求項７に記載の方法。
【請求項９】
前記シーンの場所は、スポーツ・イベントまたはエンターテインメント・イベントの一部である、請求項１乃至８のいずれか一項に記載の方法。
【請求項１０】
デジタル写真用カメラと、物理ディスプレイ上に示される代替画像コンテンツとを同期させるためのデバイスであって、
外部マスタ・クロック信号（Ｍ）に基づいてデータを受信するための第１の入力（５４）と、
カメラ作動信号（Ａ）を受信するための第２の入力（５５）と、
前記外部マスタ・クロック信号（Ｍ）に基づき、かつ前記データに基づいてカメラ同期信号（Ｃ）を生成するため、および前記カメラ同期信号（Ｃ）および前記カメラ作動信号（Ａ）に基づいてデジタル写真用カメラ（Ｐ）のための少なくとも１つのシャッタ・レリーズ信号（Ｓ）を生成するための処理ユニットと、
前記シャッタ・レリーズ信号（Ｓ）を前記デジタル写真用カメラ（Ｐ）のシャッタ・コントロールへ送信するための出力（５８）と、
を包含するデバイス。
【請求項１１】
前記第１の入力（５４）と、前記カメラ作動信号（Ａ）を受信するための前記第２の入力（５５）と、前記少なくとも１つのシャッタ・レリーズ信号（Ｓ）を生成するための前記処理ユニットと、前記出力（５８）は、前記出力（５８）を介して前記デジタル写真用カメラ（Ｐ）と外部接続可能な別体のハウジング（５７）内に統合される、請求項１０に記載のデバイス。
【請求項１２】
前記第１の入力（５４）と、前記カメラ作動信号（Ａ）を受信するための前記第２の入力（５５）と、前記少なくとも１つのシャッタ・レリーズ信号（Ｓ）を生成するための前記処理ユニットと、前記出力（５８）は、前記デジタル写真用カメラ（Ｐ）内に統合される、請求項１０に記載のデバイス。
【請求項１３】
前記第２の入力（５８）は、前記デジタル写真用カメラ（Ｐ）の作動ボタン（６１）から前記カメラ作動信号（Ａ）を受信するための内部入力として構成される、請求項１２に記載のデバイス。
【請求項１４】
前記第２の入力（５５）は、リモート・コントロール（５１）から前記カメラ作動信号（Ａ）を受信する外部入力として構成される、請求項１０乃至１２のいずれか一項に記載のデバイス。
【請求項１５】
前記第２の入力（５５）は、前記ハウジング上に配された作動ボタンから前記カメラ作動信号（Ａ）を受信する、前記ハウジング（５７）内の内部入力として構成される、請求項１１に記載のデバイス。
【発明の詳細な説明】
【技術分野】
【０００１】
本発明は、デジタル写真用カメラと、物理ディスプレイ上に示される代替画像コンテンツとを同期させるための方法およびデバイスに関係する。
【背景技術】
【０００２】
発光ダイオード（ＬＥＤ）ディスプレイ等のアクティブ・ディスプレイは、視聴者に情報または広告を伝える広告掲示板または看板として広く使用されている。通常、その種のディスプレイは、スポーツまたはエンターテインメントのイベントに使用される。その結果として、テレビジョン放送（ＴＶ）またはビデオ・ストリームの中にしばしばその種のディスプレイが現れることになるが、それらは、非常に多様な異なる視聴者、すなわち典型的な例としては、異なる母国語または異なる文化的背景を伴う異なる国々の視聴者に指向される。これらのディスプレイ上に示される情報／広告のターゲットをそれらの視聴者の特定のサブセットに定めるために、テレビジョン放送またはビデオ・ストリームを介してディスプレイを見る視聴者の間でディスプレイのコンテンツを変える方法がすでに開発されている。
【０００３】
ビデオ・シーケンスの統合された一部として広告を挿入すること、たとえば、ビデオ・シーケンスの中で示される広告掲示板上に広告を表示することが提案された。たとえば、特許文献１は、ビデオ画像内の広告掲示板の自動的な電子的置換のための装置を記述している。しかしながら、良好な印象を作り出し、かつ合成画像の自然な見え方を維持するために、広告を、ビデオ・シーケンス内の残りのシーンに適応させる必要がある。通常、このアプローチは、良質な結果を獲得するために人間の介入を必要とする。概して言えば、これらの電子またはソフトウエア・ベースのアプローチは、視聴者の経験が配慮されない限り、特に、放送スキームが広告掲示板を部分的に覆い隠す動的なシーンを伴うとき、しばしば満足の得られるものとはならない。特許文献２には、テレビジョン放送においてディスプレイのコンテンツを視聴者の間で変えることを可能にする方法が記述されている。この先行技術文献は、複数の視聴者が、単一のビデオ・ディスプレイ上に同時に表示されるいくつかのビデオ・ストリームのうちの１つを見ることを可能にする方法を記述している。しかしながら、視聴者が、そのディスプレイ上に示されるビデオ・ストリームのうちの１つと同期されたシャッタ観察眼鏡を使用することが要求される。その種のシステムは、ディスプレイ自体がテレビジョン放送されることに適していない。
【０００４】
これらの問題点は、特許文献３に記述されている解決策によって緩和される。この先行技術文献は、テレビジョン放送内のシーンの一部として現れる物理ディスプレイのコンテンツを、テレビジョン放送の異なる視聴者の間において変化させるための方法およびデバイスを記述している。ディスプレイのコンテンツは、イベント、たとえばスポーツ・イベントにいる視聴者に指向される直接視聴者ディスプレイ画像およびテレビジョン視聴者に指向される放送視聴者ディスプレイ画像を包含する。物理ディスプレイは、２つ以上の一時的にインターリーブされるデータ・コンテンツ・インスタンスを表示し、それにおいては、放送視聴者のためのディスプレイ画像が、前記データ・コンテンツ・インスタンスのうちの１つと同期される。カメラが、看板等の物理ディスプレイを含むイベントのシーンの記録に使用され、カメラと看板の同期にコントロール・システムが使用される。すべての異なるデータ・コンテンツ・インスタンスを包含するカメラによって記録されたビデオ・ストリームがデマルチプレクサに供給され、それが、物理ディスプレイ上に示される特定のデータ・コンテンツ・インスタンスに対応する個別のフィードを生成する。特許文献３に記述された方法およびシステムは、看板に表示される各画像を取り込むことがカメラに要求されることから、テレビジョンまたはビデオ放送のために使用される通常のフレーム・レートよりはるかに高いフレーム・レートでの記録を可能にする専用カメラ・テクノロジを必要とする。個別のビデオ・フィードを生成するデマルチプレクサの計算処理能力もまた、相応じて高くなければならない。このように、特許文献３に記述された方法は、新しい専用の器材を必要とし、スポーツおよびエンターテインメント・イベントにおいてその種のテクノロジを確立するための相応じたコストは高い。それに加えて、特許文献３の方法を用いると、画像が示される時間間隔が短かすぎて視聴者が画像コンテンツを意識的に知覚することができない場合でさえ、放送視聴者のための専用画像の挿入が結果として不安定な看板のちらつきをもたらすことから、イベントの直接視聴者の視聴経験が減じられる。
【０００５】
特許文献４および特許文献５においては、参照によりその完全な開示をこれに援用するが、物理ディスプレイの代替画像コンテンツを異なる視聴者に伝えるための新しい技術的なシステムが記述されており、これは、既存のカメラおよびディスプレイ・テクノロジに基づくことが可能であり、したがって、新しいシステムが、世界中の多くのスポーツおよびイベント・アリーナにおいて容易かつコスト効果的に展開されることを可能にし、かつこのビデオ・ストリームの視聴者およびイベントの直接視聴者両方のためのユーザ経験を向上させる。
【０００６】
これらの文献においては、物理ディスプレイの代替画像コンテンツを異なる視聴者に伝えるための方法およびシステムが開示されており、当該方法およびシステムは、画像データの各セットが個別の画像のシーケンスを包含する、画像データの少なくとも２つの異なるセットを生成することと；画像データの前記少なくとも２つのセットの画像を前記物理ディスプレイ上にタイムスライス多重化態様で表示することと；前記物理ディスプレイを含むシーンの少なくとも１つのビデオ・ストリームを生成することであって、前記ビデオ・ストリームが、前記物理ディスプレイ上の画像データの前記少なくとも２つのセットのうちの１つの画像の表示と同期して取り込まれたビデオ・フレームからなることと；前記ビデオ・ストリームを前記視聴者のサブセットに送信することと、を包含し、それにおいて画像データの少なくとも１つのセットが、画像および反転画像のシーケンスを包含する。物理ディスプレイ上に示される画像データの少なくとも２つの異なるセットのうちの１つが、視聴者のサブセット、たとえば、実際にスポーツ・スタジアムにいる来訪者（直接視聴者）によって直接見られることが意図され、その一方において、画像データの追加のセットに、視聴者の１つ以上の異なるサブセット（放送視聴者）によってビデオ・ストリームとして見られることが意図されている場合。したがって、異なる画像データの前記少なくとも２つのセットが、前記物理ディスプレイ上においてユーザの１つのサブセット（直接視聴者）によって直接意識的に見られることになる画像データの１セットを包含する。しかしながら、直接視聴者が、シャッタ眼鏡またはその類を使用して直接視聴者のために意図されたものではない画像をブロックするわけではないことから、物理ディスプレイ上に示されるすべての画像データは、直接視聴者に、特許文献４内に記述された方法に従って効果的に提示される。むしろ、直接視聴者が、人間の目の生理学的制約に従って、直接視聴者のために意図された画像のセットを意識的にのみ知覚可能となるように、画像データの異なるセットのフレームのフレーム・レートおよび表示期間が選択される。残りの、放送視聴者のみによって知覚されることになる前記ビデオ・ストリームを介して送信されることが意図された画像のサブセットは、物理ディスプレイ上を直接見るときには、それらが人間の目によって知覚されないが、それにもかかわらずビデオ・カメラが前記画像を取り込むことが可能であるように選択されたフレーム・レートおよび画像表示期間を用いて物理ディスプレイ上に示される。異なる画像データの前記少なくとも２つのセットのうちの画像データの少なくとも１つのセットは、画像および反転画像のシーケンスを包含している。包含する画像データの前記セットの画像は、ビデオ・ストリームを介して視聴者のサブセットに、すなわち、放送視聴者に送信されることが意図されており、直接視聴者によって意識的に知覚されるべきではない。画像データの前記セットの反転画像は、ビデオ・ストリームの生成時に取り込まれないが、そのビデオ・ストリームを生成するべく取り込まれた対応する画像の少し前または後に物理ディスプレイ上に表示される。取り込まれるべき画像と対応する反転画像の表示の間の時間期間は、それらの画像が、人間の目、すなわち物理ディスプレイの直接視聴者の目によって解像可能でないように充分に短くする必要がある。したがって、直接視聴者は、ビデオ・ストリームのために意図された画像と対応する反転画像の平均画像を知覚し、その結果、物理ディスプレイの直接視聴者によって経験される強度および／または色の変動が低減される。
【０００７】
画像データのセットの各先行および／または後続画像の反転画像は、組み合わされた画像と反転画像が、結果として均質な強度および／または均質なグレイ値を有する、直接視聴者に知覚される画像をもたらすといった態様で生成される。したがって、直接視聴者にとっての強度または色の変動をさらに低減可能となることが可能である。
【０００８】
特許文献４の中に述べられている１つの実施態様においては、異なる画像データの前記少なくとも２つのセットのうちの少なくとも１つが、モノクローム画像データのセットを包含することが可能である。したがって、その中に述べられている方法は、物理ディスプレイ上のモノクローム画像が環境内の物理ディスプレイの場所の識別に使用され、かつ適切な画像処理テクノロジを介して、ビデオ・ストリームの視聴者によって見られることになるコンテンツによってモノクローム画像が置き換えられるソフトウエア・ベースの解決策（キーイング・テクノロジ）のために採用することも可能である。この実施態様においては、モノクローム画像データに基づいて反転画像を生成することが可能である。したがって、色つきフラッシュが直接視聴者によって知覚される従来的なキーイング・テクノロジとは対照的に、対応する反転画像の挿入は、直接視聴者にとって迷惑な注意散漫を回避する。
【０００９】
特許文献４の中に述べられている別の実施態様においては、直接視聴者のための画像データのセットが、放送視聴者のための画像データのセット（または、セットのそれぞれ）より高いフレーム・レートにおいて提示される。いわゆる『ちらつき融合スレッショルド』（または、ちらつき融合レート）、すなわち、平均的な人間の観察者に対して間欠的な光刺激が完全に一様に現れる周波数は、ほかのパラメータの中でもとりわけ、変調の周波数、変調の振幅または深度（すなわち、照度におけるピークの値からの減少の最大パーセント）および平均（または、最大）照度によることが生理学から知られている（フェリー・ポーターの法則）。したがって、直接視聴者のための画像データが放送視聴者のための画像データによって反復的に割り込まれるとき、直接視聴者のための画像データがより高い周波数で物理ディスプレイに示される場合には、ちらつきを減ずることが可能である。したがって、所定のフレーム・レートについて、直接視聴者のための画像データの各フレームを、物理ディスプレイ上に複数回にわたって表示することが可能であり、たとえば、直接視聴者のための画像データの各フレームを、放送視聴者のための画像データの各フレームの前および／または後の複数の時間スロットの中で示すことが可能である。
【００１０】
特許文献４または特許文献５の広告掲示板表示テクノロジが採用される多くのイベントにおいては、ユーザの異なるサブセットのためのビデオ・ストリームが、これらの特許出願の中に記述されているとおりに生成されるだけでなく、デジタル写真用カメラを使用するスチル写真もまた、頻繁に取り込まれる。オンラインまたは印刷媒体用の写真を撮影するプロの写真撮影者がいることもしばしばである。それに加えて、イベントの普通の観客（すなわち、上に述べられている直接視聴者）が、通常、自分たちのモバイル・フォンのカメラまたは消費者用のデジタル写真用カメラを使用して写真を撮影する。その種のイベントにおいて撮影された多くの写真には、代替画像コンテンツが表示された物理的ディスプレイ、たとえば、ＬＥＤ広告掲示板が、画像シーンの一部になる。しかしながら、物理ディスプレイが、タイムスライス多重化態様でその物理ディスプレイ上に画像データの異なるセットを表示することによって代替画像コンテンツを見せることから、写真撮影者が、写真を撮影するときに物理ディスプレイ上にいずれの画像が示されるかを知ること、またはそれをコントロールすることは、まったく可能でない。たとえば、プロの写真撮影者が、その写真撮影者がターゲットとする視聴者と両立できない特定タイプのビデオ放送視聴者のための画像コンテンツが示されているちょうどその瞬間に写真を撮影することはあり得る。たとえば、多くの国々は、アルコール飲料またはたばこに関係している限りにおいて、それのための広告の規制を実施しており、それらの国々からの写真撮影者は、その種の画像が現れる写真の撮影を回避することを望む。それに加えて、物理ディスプレイ上に反転画像が現れている時間期間の間、または物理ディスプレイ上に現れている画像が画像データの１つのセットから画像データの異なるセットへと変化する時間期間の間に写真が撮影される可能性もある。これらの場合においては、撮影された写真の中の物理ディスプレイの現れ方が悪化し、全体としてのその写真の品質を下げることになる。
【先行技術文献】
【特許文献】
【００１１】
【特許文献１】英国特許出願公開第２３０５０５１号明細書
【特許文献２】国際公開第２００５／１１２４７６号パンフレット
【特許文献３】国際公開第２００７／１２５３５０号パンフレット
【特許文献４】国際公開第２０１８／１３８３６６号パンフレット
【特許文献５】国際公開第２０１８／１３８３６７号パンフレット
【発明の概要】
【発明が解決しようとする課題】
【００１２】
したがって、本発明の技術的課題は、写真が撮影されるときに、写真撮影者が、代替画像コンテンツが物理ディスプレイ上に表示されるイベントにおいて撮影される写真に、はっきりした、かつコントロールされた画像コンテンツのみが前記ディスプレイ上に現れることを確保できるようにする方法およびシステムを提供することである。
【課題を解決するための手段】
【００１３】
この技術的課題は、付随する特許請求の範囲の中に定義されている方法およびデバイスによって解決される。
【００１４】
したがって、本発明は、デジタル写真用カメラと、物理ディスプレイ上に示される代替画像コンテンツとを同期させるための方法に関係し、前記方法は、
画像データの各セットが個別の画像のシーケンスを包含する、前記画像データの少なくとも２つの異なるセットを生成するステップと、
マスタ・クロック信号を生成するステップと、
前記画像データの少なくとも２つのセットの前記画像を、前記マスタ・クロック信号によってトリガされる前記物理ディスプレイ上にタイムスライス多重化態様で表示するステップと、
前記マスタ・クロック信号に基づいてカメラ同期信号を生成するステップと、
前記デジタル写真用カメラを用いて少なくとも１つの画像を取り込むためのカメラ作動信号を生成するステップと、
前記カメラ同期信号および前記カメラ作動信号に基づいて前記デジタル写真用カメラのための少なくとも１つのシャッタ・レリーズ信号を生成するステップと、
前記少なくとも１つのシャッタ・レリーズ信号を前記デジタル写真用カメラのシャッタ・コントロール・ユニットへ送信するステップとを包含する。
【００１５】
本発明の方法によれば、写真撮影者が１つ以上の画像の撮影を望むとき、その写真撮影者は、適切なボタン、たとえば、リモート・コントロールの作動ボタンまたはカメラ自体の作動ボタンを押すか、または付勢することによってカメラ作動信号を生成することになる。カメラのノーマル動作モードにおいては、カメラ作動信号がシャッタ・レリーズ信号をトリガし、その結果写真の撮影が可能になる。この用語『シャッタ』は、たとえば、ＤＳＬＲカメラに採用されているようなメカニカル・シャッタだけではなく、消費者用のデジタル写真用カメラまたはモバイル・フォンのカメラに採用されているような電子シャッタも参照する。さらに、より広くは、用語『シャッタ・レリーズ信号』は、写真の取り込みをトリガする任意の内部カメラ信号を参照する。しかしながら、本発明の方法を実行するとき、カメラは、通常、それのノーマル動作モードから、たとえば、カメラのファームウエア内に、または、特にモバイル・フォン・カメラの場合は、カメラの専用ソフトウエア・アプリケーション（ａｐｐ）内に実装された専用同期モードへ切り換えられる。同期モードにおいては、カメラ作動信号が、写真の取り込みをすぐにはトリガしない。むしろ、実際に写真を取り込むためのシャッタ・レリーズ信号は、カメラ作動信号だけに基づくのでなく、カメラ同期信号にも基づいて生成される。
【００１６】
１つの実施態様においては、カメラ同期信号が、物理ディスプレイ上における画像データの異なるセットの表示を担うマスタ・クロック信号に直接基づくことが可能である。マスタ・クロック信号に基づけば、特定の時点において物理ディスプレイ上に表示される画像データのセットの画像を決定することが可能である。たとえば、マスタ・クロック信号の各パルスは、物理ディスプレイ上に表示されることになる画像データの異なるセットに属する画像のシーケンスをトリガし、マスタ・クロック・パルスに関する特定の時間シフトは、画像データの特定のサブセットの画像に対応する。たとえば、１つの実施態様においては、直接視聴者によって意識的に見られることが意図された画像データが、マスタ・クロック・パルスと同期して表示される。その結果として、画像データのこの特定のセットが物理ディスプレイ上に表示されるシーンを取り込むことを望んでいる写真撮影者にとっては、シャッタ・レリーズ信号を、カメラ同期信号（マスタ・クロック信号自体とすることが可能）とカメラ作動信号の交差相関によって獲得される信号とすることが可能である。
【００１７】
取り込まれる写真上において画像データのほかのセットが可視となる必要がある場合においては、シャッタ・レリーズ信号を、マスタ・クロック信号に関して時間シフトされたカメラ同期信号とカメラ作動信号の交差相関とすることが可能である。
【００１８】
カメラ同期信号、または、マスタ・クロック信号がカメラ同期信号として直接使用される場合においては、マスタ・クロック信号自体と、カメラ作動信号の両方が、好ましくは単純な方形パルスであることから、本発明の意味における『交差相関』は、単に、カメラ作動信号およびカメラ同期信号／マスタ・クロック信号または時間シフトされたカメラ同期信号が所定の時点において存在するか否かの決定とすることが可能である。この条件が真であれば、シャッタ・レリーズ信号が生成されることになり、カメラの設定に従ってデジタル写真用カメラによって写真が取り込まれることになる。
【００１９】
好ましくは、前記シャッタ・レリーズ信号が、カメラ作動信号（またはマスタ・クロック信号自体）およびカメラ作動信号の両方がアクティブとなる時だけのために生成される。
【００２０】
この実施態様においては、デジタル写真用カメラが、カメラ同期信号と同期して表示されている物理ディスプレイ上の画像を取り込むことになる。しかしながら、マスタ・クロック信号間に表示される画像、すなわち異なる画像フィードに対応する画像を取り込むことも可能である。この趣旨で、前記カメラ作動信号を、前記シャッタ・レリーズ信号が生成される前にマスタ・クロック信号に関してあらかじめ決定済みの時間間隔で時間シフトすることが可能である。あらかじめ決定済みの時間間隔は、写真撮影者によって選択された画像フィードに従って決定されることになる。
【００２１】
それに代えて、シャッタ・レリーズ信号を、前記シャッタ・コントロール・ユニットへ送信される前に前記あらかじめ決定済みの時間間隔で時間シフトすることが可能である。その種の特徴は、たとえば、カメラのファームウエア内に実装することが可能である。
【００２２】
１つの実施態様においては、各カメラ作動信号について複数のシャッタ・レリーズ信号が生成され、一連の写真の撮影が、シャッタ・レリーズ信号によってトリガされることを可能にする。各カメラ作動信号について１つのシャッタ・レリーズ信号だけが生成されることも可能である。
【００２３】
本発明によれば、カメラ同期信号が『マスタ・クロック信号に基づいて生成』される。この表現は、上に述べられているとおりの、マスタ・クロック信号自体がカメラ同期信号を生成するための直接的なベースを提供している実施態様をカバーするだけでなく、広く解釈されなければならない。むしろこの表現は、カメラ同期信号を生成するための間接的なスキームもカバーする。
【００２４】
たとえば、マスタ・クロック信号は、物理ディスプレイ自体または写真撮影者の典型的な視野内のどこかに配されることが可能な専用ＬＥＤ、特に赤外線ＬＥＤのトリガに使用することが可能である。したがって、カメラ同期信号は、デジタル写真用カメラ自体を介して、またはデジタル写真用カメラに取り付けられている専用センサを介してＬＥＤ信号を記録することによって生成することが可能である。したがって、デジタル写真用カメラへのトリガ信号の送信に配線は要求されない。特に、デジタル写真用カメラ自体がトリガＬＥＤの記録に使用される場合には、カメラ側に追加の装備は必要なく、記録されたＬＥＤ信号からのカメラ同期信号の生成は、ソフトウエア（ファームウエアまたはソフトウエア・アプリケーション）において実装することが可能である。
【００２５】
ほかの実施態様においては、物理ディスプレイ上に示される画像データのセットを、カメラ同期信号の生成に採用することが可能である。たとえば、デジタル写真用カメラによる物理ディスプレイの記録が、マスタ・クロック周波数に基づくデジタル写真用カメラのセンサ上において特徴的な変調を生成することになる。したがって、画像処理ソフトウエアを使用することにより、デジタル写真用カメラの画像センサを用いて記録された強度変化からマスタ・クロック周波数を導出することが可能である。たとえば、デジタル写真用カメラがローリング・シャッタ・テクノロジを使用している場合においては、カメラの回転が、結果として容易に検出可能な強度モデレーションをもたらすことになる。グローバル・シャッタ型デジタル写真用カメラについては、適切な検出方法が、高い周波数において写真を撮影すること、および差分画像の画像処理を介してマスタ・クロック周波数を導出することを伴う。
【００２６】
多くのデジタル写真用カメラは、内蔵クロック、通常はクォーツ・ベースのクロックを含み、それらは充分に安定しており、その結果、典型的なスポーツ・イベントの間においては、マスタ・クロックとの同期が一度または二度達成されるだけでよいようになる。したがって、同期が達成されなければならないのは、イベントの前、およびオプションとしてそのイベントの休憩の間にだけである。この趣旨で、デジタル写真用カメラを、有線を介してまたは無線でマスタ・クロックとリンクすることが可能である。それに代えて、マスタ・クロックに基づく専用の画像シーケンスをイベントの前、またはそのイベントの休憩の間に示すことが可能であり、それをデジタル写真用カメラの画像処理ソフトウエアによって、それの内蔵クロックをマスタ・クロックと同期させるために分析することが可能である。初期同期の後は、数十分または数時間にわたってさえマスタ・クロックとの同期性を維持する内蔵クロックに基づいてカメラ同期信号が生成されることになる。
【００２７】
本発明は、デジタル写真用カメラと、物理ディスプレイ上に示される代替画像コンテンツとを同期させるためのデバイスにも関係し、前記デバイスは、
外部マスタ・クロック信号に基づくデータのための第１の入力と、
カメラ作動信号のための第２の入力と、
外部マスタ・クロック信号に基づき、かつ前記データに基づいてカメラ同期信号を生成するため、および前記カメラ同期信号および前記カメラ作動信号に基づいてデジタル写真用カメラのための少なくとも１つのシャッタ・レリーズ信号を生成するための処理ユニットと、
前記シャッタ・レリーズ信号を前記デジタル写真用カメラのシャッタ・コントロール・ユニットへ送信するための出力とを包含する。
【００２８】
本発明によれば、『外部マスタ・クロック信号に基づくデータ』は、上に述べられているとおり、マスタ・クロック信号に直接または間接的に基づく任意の種類のデータ／信号であるとすることが可能である。これらの『データ』は、マスタ・クロック信号自体、物理ディスプレイ上に表示される画像のシーケンス、専用ＬＥＤ信号、物理ディスプレイ上に表示される専用同期画像シーケンス等々を含む。
【００２９】
１つの実施態様においては、本発明のデバイスが、シャッタ・レリーズ信号のための入力を有する任意の適切なデジタル写真用カメラに適合させることが可能な別体のボックスまたはハウジングである。たとえば、適切なデジタル写真用カメラを、ＤＳＬＲ（デジタル一眼レフ）カメラ、またはＤＳＬＴ（デジタル透過ミラー一眼レフ）カメラをはじめ、『オートフォーカス・カメラ』またはモバイル・フォンのカメラ等の消費者用のカメラとすることが可能である。別体のボックスまたはハウジング等を、特定のデジタル写真用カメラにリンクされる専用のボックスまたはハウジングとすることは可能であるが、その種の別体のボックスおよびハウジングを、デジタル写真用カメラであって、内蔵クロックを有し、その結果、スポーツ・イベントの間にわたって行われる前記ボックス／ハウジングとの同期が一度または二度だけとなる一方、そのイベントの間にわたってその内蔵クロックによって同期が維持され、追加の装備を伴うことなく、そのイベントの間にわたって使用することが可能となるようにしたデジタル写真用カメラとともに使用することが好ましい。
【００３０】
本発明という面において適しているカメラは、ローリング・シャッタまたはグローバル・シャッタ・テクノロジを伴って機能することが可能である。
【００３１】
カメラ作動信号は、従来的なカメラ・リモート・コントロールによって生成することが可能である。別の実施態様においては、作動ボタンをデバイス自体に統合することが可能である。その結果として、カメラ作動信号のための入力が、作動ボタンからデバイスの内部処理ユニットへカメラ作動信号を送信する内部入力になる。
【００３２】
本発明の入力および出力は、有線ベースまたは無線とすることが可能であり、後者の場合には、たとえば、ブルートゥース（ＩＥＥＥ  ８０２．１５．１）、ＷＬＡＮ（ＩＥＥＥ−８０２．１１）、または赤外線（たとえば、ＩｒＤＡ）信号送信テクノロジが使用される。具体的に述べれば、『第１の入力』は、有線ベースの電気入力、無線信号のための受信機、および光センサ、具体的にはデジタル写真用カメラ自体の光センサ等といった外部マスタ・クロック信号に基づいてデータを受信するための任意の適切な種類の入力とすることが可能である。
【００３３】
１つの実施態様においては、本発明のデバイスが、カメラ自体の統合されたレリーズ・ボタンを使用することが可能となるようにデジタル写真用カメラ内に統合される。同様に、本発明のデバイスを、プロ用のカメラ・システムに従来から使用されているバッテリ・グリップ内に統合することが可能である。デジタル写真用カメラ内に統合されるときには、商業的に入手可能なデジタル写真用カメラ内にすでに存在する構成要素とともに本発明のデバイスを実装することが、そのカメラに追加の物理的な修正を施すことを必要とせずに可能である。具体的に述べれば、デジタル写真用カメラのプロセッサを、そのカメラ内にソフトウエアとして本発明の方法を実装し、請求の範囲のデバイスの『処理ユニット』として使用することが可能である。また、デジタル写真用カメラのハードウエアまたはソフトウエア・コントロールを、本発明の方法のコントロールに使用することも可能である。たとえば、典型的なＤＳＬＲまたはＤＳＬＴカメラは、サム・ホイールを備えており、それを、物理ディスプレイ上に示されている画像データの、取り込まれた写真に現れるべき所望のセットを選択するためのコントロールとして作用するべく再プログラムすること、および／またはカメラ同期信号の生成にカメラの内蔵クロックだけが使用されている時間期間の間に同期のドリフトを訂正するべく再プログラムすることが可能である。
【００３４】
この出願の意味において『画像データのセット』は、視聴者の１つの特定のサブセットに示される画像（静止画またはフィルム）に対応する。本発明によれば、画像データの少なくとも２つのセットが物理ディスプレイ上に示され、画像データの前記２つのセットのうちの１つのセットを包含する少なくとも１つのビデオ・ストリームが生成される。もっとも単純な形式において、本発明の方法は、イベントの直接視聴者、たとえば、スポーツまたはエンターテインメント・イベントに実際にいる視聴者のために意図された画像データの１つのセットを包含する。画像データの第２のセットは、ビデオ・ストリームの視聴者に指向される。より一般的に述べれば、物理デバイス上に示される画像データのセットが直接視聴者のための画像データを含む場合には、生成されるビデオ・ストリームの数が、画像データのセットの数から１を減じた値に対応する。
【００３５】
本発明の１つの実施態様においては、前記デバイスが、前記マスタ・クロック信号または前記シャッタ・レリーズ信号がシフトされることになるあらかじめ決定済みの時間間隔を決定するフィード・セレクタを包含する。
【００３６】
本発明の１つの実施態様においては、画像データの少なくとも１つのセットが、画像および反転画像のシーケンスを包含する。
【００３７】
本発明の１つの実施態様においては、『画像データのセット』が、ブランク画像、すなわち物理ディスプレイ上に画像がまったく表示されない時間間隔を含むこともできる。これは、たとえば、イベントの直接視聴者または、サッカーもしくはバスケットボールのプレーヤ等のイベントの参加者が、物理ディスプレイ上に示されるコンテンツによって、すなわち、この実施態様においてはビデオ・スクリーンを介して放送視聴者だけに送信される広告によって注意散漫になることがあってはならない場合に望ましいとし得る。
【００３８】
本発明の別の実施態様においては、『画像データのセット』が、従来的なソフトウエア・ベースのキーイング・テクノロジを使用してビデオ・ストリーム内における物理ディスプレイのエリア内に所望の広告を挿入するためにビデオ・ストリーム内における物理ディスプレイの場所の識別に使用することが可能なモノクローム着色されたフレームを包含することができる。
【００３９】
本発明のさらなる好ましい実施態様によれば、物理ディスプレイが発光ダイオード（ＬＥＤ）アレイ／ディスプレイである。好ましくは、ＬＥＤディスプレイは、看板または広告掲示板である。
【００４０】
本発明のさらなる実施態様によれば、１つ以上のビデオ・ストリームに記録されるシーンは、スポーツ・イベントまたはエンターテインメント・イベントの一部である。
【００４１】
次に、添付図面を参照して、本発明の好ましい実施態様をさらに詳細に説明する。図面は、以下のとおりである。
【図面の簡単な説明】
【００４２】
【図１】本発明の第１の実施態様に従った、デジタル写真用カメラと、物理ディスプレイ上に示される代替画像コンテンツとを同期させるためのシステムの概要を示した概略図である。
【図２】図１の物理ディスプレイ上のちらつきを減ずるための例示的な画像シーケンスを示した説明図である。
【図３】図１の実施態様において使用される単一カメラ・ユニットのフレーム・シーケンスを示した説明図である。
【図４】デジタル写真用カメラを同期させるための本発明の代替実施態様を示した説明図である。
【図５】デジタル写真用カメラを同期させるための本発明のさらに別の実施態様を示した説明図である。
【図６】図１の物理ディスプレイ上の１セットの画像データを取り込むための信号スキームを示した説明図である。
【図７】異なるセットの画像データを取り込むための信号スキームを示した説明図である。
【発明を実施するための形態】
【００４３】
以下、本発明を、典型的な例、すなわちスポーツ・イベントのテレビジョン放送に関連してより詳細に説明する。
【００４４】
この出願の中に記述されている例は、５０Ｈｚの標準フレーム・レート（電源周波数を反映している；ヨーロッパ、アジア、オーストラリア、および南アメリカの一部におけるＰＡＬ放送仕様）に関係するが、当業者にとっては、ここに述べられているコンセプトが、ほかの標準フレーム・レート、たとえば、２５Ｈｚまたは６０Ｈｚ（電源周波数に基づいている；北／中央アメリカおよびアジアの一部）、またはＮＴＳＣ放送システムの５９．９４Ｈｚのフレーム・レート等の端数のフレーム・レートにさえも適用可能であることは明白である。
【００４５】
図１は、本発明の第１の例示的な実施態様の概要を略図的に図示している。ビデオ・カメラ・ユニットＶＣが使用されて、サッカー競技場１０（一部分が図示されている）によって例示されるスポーツ・イベントのビデオ映像が提供される。競技場１０のサイド・ライン１１には、ＬＥＤディスプレイ１３を有する広告掲示板１２が設置されている。広告掲示板１２は、ＬＥＤアレイ１３への静止および／または動画の引き渡しをコントロールするコントローラ１４を包含する。ビデオ・カメラ・ユニットは、広告掲示板１２のＬＥＤディスプレイ１３を含むシーンの高い初期フレーム・レートのビデオ・ストリームを記録する。この実施態様に採用することが可能な代表的なビデオ・カメラ・ユニットＶＣは、高いフレーム・レートでシーンの記録を可能にするＳｏｎｙ  Ｃｏｒｐｏｒａｔｉｏｎ（ソニー・コーポレーション）によって商品化されたＨＤＣ  ４３００カメラである。高いフレーム・レートのビデオ・ストリームＨＦＲ（図５参照）は、第１の光ケーブル２０を介して中間処理ユニット２２の第１の接続２１に伝えられる。中間処理ユニット２２は、第１の接続２１を、第２の光ケーブル２５を介して中間処理ユニット２２をカメラ・コントロール・ユニット（ＣＣＵ）２６に接続するべく使用が可能な第２の接続２４に接続する情報ブリッジ２３を包含する。カメラ・コントロール・ユニット２６は、外部カメラ・コントロール、得点、プロンプタ、リターン・ビデオ等の信号のための追加の入力／出力２８を有する。適切な中間処理ユニット２２は、たとえば、Ｓｏｎｙ  Ｃｏｒｐｏｒａｔｉｏｎ（ソニー・コーポレーション）によって商品化されたＢＰＵ  ４０００等のベースバンド処理ユニット（ＢＰＵ）である。さらに中間処理ユニット２２は、高い初期フレーム・レートのビデオ・ストリームを複数の物理的なＳＤＩ出力Ｏ１、Ｏ２、Ｏ３等に変換し、かつルーティングするビデオ・プロセッサ２７を包含する。ＳＤＩ出力Ｏ１、Ｏ２、Ｏ３等は、ノーマル・フレーム・レートのビデオ・ストリームＮＦＲ（図６参照）を提供する。
【００４６】
カメラ・ユニットＶＣは、マスタ・クロック信号Ｍをマスタ・クロック１５から直接（図示せず）受信するか、またはマスタ・クロック１５をカメラ・コントロール・ユニット２６および光ケーブル２５、２０に接続するライン２９を介して受信する。
【００４７】
マスタ・クロック信号Ｍは、ライン３０を介してインターフェース１７にも供給される。インターフェース１７は、画像データ入力３１を介して画像データを受信し、トリガ信号Ｔを生成し、それに従って画像データが、ライン３２を介してＬＥＤディスプレイ１３へ送信され、そこでトリガ信号Ｔに従って画像データが示される。トリガ信号Ｔは、カメラ・ユニットによって記録されるその後に続くフレームが、ＬＥＤディスプレイ１３上に示される異なる画像データとともに記録されるシーンを示すことが可能となるように選択される。当然のことながら、画像データをディスプレイ１３および／またはインターフェース１７のストレージ媒体へ送信し、あらかじめストアしておくことも可能である。それに加えて、インターフェース１７は、広告掲示板１２の一部とすることが可能であり、その結果、ライン３２が、広告掲示板１２の内部回路の一部になる。
【００４８】
図１は、デジタル写真用カメラＰと、物理ディスプレイ（ＬＥＤディスプレイ）１３上に示される代替画像コンテンツとを同期させるための本発明の方法を実装する第１の実施態様を示している。図１の実施態様において、マスタ・クロック信号Ｍは、ライン５０を介してデジタル写真用カメラＰへも送信される。リモート・コントロール５１が使用されて、ライン５２を介してデジタル写真用カメラＰへ送信されるカメラ作動信号Ａが生成される。デジタル写真用カメラＰは、ライン５０を介して外部マスタ・クロック信号Ｍを受信するべく適応された第１の入力５４と、ライン５２を介してカメラ作動信号を受信するべく適応された第２の入力５５とを有する入力ユニット５３を包含している。この実施態様においては、シャッタ・レリーズ信号を生成するための処理ユニットが、デジタル写真用カメラＰ内に統合されている。
【００４９】
それに代えて、デジタル写真用カメラＰを、広告掲示板１２内に埋め込まれている赤外線ＬＥＤ  １６、および／または競技場１０の近くに配された専用赤外線ＬＥＤ  １７を介して同期させることが可能である。赤外線ＬＥＤのトリガ信号は、スポーツ・イベントに来ている視聴者を妨害することなくデジタル写真用カメラＰによって取り込まれることが可能である。
【００５０】
図２は、直接視聴者に対するちらつきを最小限まで減ずる態様で画像データおよび反転画像データをＬＥＤディスプレイ１３上に提供するための好ましいスキームを示している。このスキームは、より詳細にＷＯ  ２０１８／１３８３６６  Ａ１の中に記述されている。
【００５１】
図２の実施態様は、本発明の方法を用いて送信されるビデオ・スクリーンのノーマル・フレーム・レートが５０Ｈｚに対応するという前提に基づいている。この実施態様においては、４つの異なるセットの画像データが採用される。画像データのセットのうちの１つ（フィードＦ０）は、直接視聴者によって意識的に見られることが意図されている。３つの追加のフィード（Ｆ１、Ｆ２、Ｆ３）は、放送視聴者のみによって意識的に見られることが意図されている。図示されている実施態様においては、フィードＦ０の画像データが、放送視聴者のサブセットに対しても送信される。したがって、５０Ｈｚの標準フレーム・レートの２０ミリ秒の時間期間内にカメラによって４つの異なるフレーム（送信されることになる各ビデオ・スクリーンについて１つの画像フレーム）が取り込まれることが可能となるように、２００Ｈｚのフレーム・レートにおけるビデオの取り込みを可能にするカメラＶＣ（または、複数のカメラ）が採用される。
【００５２】
直接視聴者によるフィードＦ０の知覚に対する影響を最小限まで減ずるために、ＷＯ  ２０１８／１３８３６６  Ａ１においては、放送視聴者のみによって見られることが意図された各フレームに反転画像を描画するフレームが続くことが提案されている。しかしながら、５０Ｈｚのフレーム・レートにおいては、直接視聴者によって意識的に見られることが意図されたフィードＦ０が、それでもなおちらつく傾向にある。
【００５３】
図２に描かれているスキームは、直接視聴者に提示されるフィードＦ０の画像のセットの画像の知覚されるフレーム・レートを増加することによって、直接視聴者に提示される画像のちらつきが最小化することを可能にする。これに示されているとおり、直接視聴者のための画像データの各フレームが、放送視聴者のための画像データの各フレームの前および後の複数の時間スロットの中で示される。図２の実施態様においては、５０Ｈｚの標準フレーム・レートの時間期間２０ミリ秒、すなわち、マスタ・クロックＭの２つのパルス（矢印『Ｍ』参照）の間における時間期間が、スロットＳ１、Ｓ２、Ｓ３、Ｓ４・・・、Ｓ１５、およびＳ１６として示されている１６の時間スロットに細分される。したがって、各時間スロットは、１．２５ミリ秒の長さを有し、４つの時間スロットが５ミリ秒の期間、すなわちこの実施態様に採用されるカメラの２００Ｈｚのフレーム・レートを構成する。
【００５４】
したがって、直接視聴者によって意識的に見られることが意図されたフィードＦ０の画像データが、時間スロットＳ１、Ｓ２、Ｓ３、Ｓ４内に提示される。時間スロットＳ１は、同様にカメラによって記録される時間スロットである。図２においては、ビデオ・カメラの記録がアクティブとなる時間スロットが記号『Ｒ』によって示されている。時間スロットＳ５においては、放送視聴者だけのために意図されたフィードＦ１の画像フレームが物理ディスプレイ１３上に描画され、カメラによっても記録される（記号『Ｒ』参照）。時間スロットＳ６は、フィードＦ１の画像の相補／反転画像Ｃ１を示し、それは、カメラによって記録されない。しかしながら、直接視聴者にとっては、フレームＦ１とＣ１の迅速な組み合わせが、結果として知覚しにくいグレイ画像になり、それが、直接視聴者のために意図されたメイン・フィードＦ０の知覚を乱すことはない。次に、スロットＳ９およびＳ１０において画像データＦ２および相補画像データＣ２が提示される前に、スロットＳ７およびＳ８において再びフィードＦ０の２つのフレームが提示される。スロットＳ１１およびＳ１２は、再びフィードＦ０の画像データを描画するが、スロットＳ１３およびＳ１４は、放送視聴者のための３番目のフィードの画像データＦ３および相補画像データＣ３を示す。その後、スロットＳ１５およびＳ１６が、再び放送視聴者のためのフィードＦ０専用になる。
【００５５】
これによれば、直接視聴者によって見られることが意図されたフィードＦ０の画像データがより高いフレーム・レートで提示され、したがって、ちらつきが最小化される。
【００５６】
物理ディスプレイ１３上に示される最小強度が、暗いグレイ／ほぼ黒の値（採用されているカメラの感度が充分に高いことを前提とする）まで下がるためには、直接視聴者に提示される画像データ（Ｆ０）の強度が放送視聴者に提示される画像（Ｆ１、Ｆ２、Ｆ３）の強度より高いとさらに有利である。このことはまた、直接視聴者にとっての知覚の歪みをよりいっそう減ずることにもなる。その種の実施態様においては、フィードＦ０に基づくビデオ・ストリームのために特別なカメラ適応が必要とされないように、スロットＳ１において提示される画像の強度を、放送視聴者のために意図された画像の強度と同じレベルまで減ずることも可能である。直接視聴者のための画像データを有する１０のスロットのうちの１つのスロットの強度を減ずることは、直接視聴者によって知覚される全体的な強度に目立った影響を及ぼすほどのものにはならない。
【００５７】
当然のことながら、２５Ｈｚまたは６０Ｈｚ等の異なる標準フレーム・レートのために類似のスキームを考えることは可能である。
【００５８】
図２の撮像スキームに基づいて、図３に、カメラ・ユニットＶＣによってノーマル・フレーム・レート（５０Ｈｚ）の４倍、すなわち２００Ｈｚで記録される高フレーム・レート・ビデオＨＦＲのフレームのシーケンスを示す。したがって、フィードＦ０、Ｆ１、Ｆ２、およびＦ３のそれぞれに対応するｆ  ｉ．０、ｆ  ｉ．１、ｆ  ｉ．２、およびｆ  ｉ．３として示されている４つのフレームが、１／５０秒（２０ミリ秒）の各時間間隔ｉの間に記録される。これらのフレームが、光ケーブル２０を介して中間処理ユニット２２（ＢＰＵ）へ送信される。したがって、２０ミリ秒の１番目の記録期間内において、各フィードの１番目のフレーム、すなわちｆ  １．０（図２のスロットＳ１に対応する）、ｆ  １．１（スロットＳ５）、ｆ  １．２（スロットＳ９）、およびｆ  １．３（スロットＳ１３）がそれぞれ記録される。次の２０ミリ秒の期間内においては、各チャンネルの２番目のフレーム、すなわちｆ  ２．０、ｆ  ２．１、ｆ  ２．２、およびｆ  ２．３がそれぞれ記録され、以下同様の形で続く。中間処理ユニット２２内においては、たとえば、フィードＦ０が出力Ｏ１に、フィードＦ１が出力Ｏ１に、フィードＦ２が出力Ｏ３に、フィードＦ３が出力Ｏ４に割り付けられるというように、取り込まれた各フィードＦ０、Ｆ１、Ｆ２、およびＦ３の画像が専用のＳＤＩ出力に割り付けられるといった態様で、ＨＦＲビデオ・ストリームが、ノーマル・フレーム・レートのビデオ・ストリームとして、ＳＤＩ出力Ｏ１、Ｏ２、Ｏ３、Ｏ４へルーティングされる（詳細については、ＷＯ  ２０１８／１３８３６６  Ａ１参照）。
【００５９】
図４は、本発明の方法を実装するための、専用処理ユニット５６が、ライン５０を介してマスタ・クロック信号を、およびライン５２を介してカメラ作動信号を専用リモート・コントロール５１から受信するために使用されるハウジング５７を有する代替実施態様を示している。簡明のために、図においては、ビデオ・ストリーム生成に関係する構成要素およびインターフェース１７が省略されている。シャッタ・レリーズ信号を生成するための処理ユニット５６は、ハウジング５７内に統合されている。したがって、この場合においては、それぞれマスタ・クロック信号Ｍおよびカメラ作動信号Ａのための信号入力５４、５５が処理ユニット５６のハウジング５７内に配置され、さらにそこには、処理ユニット５６によって生成されたシャッタ・レリーズ信号Ｓを、ライン５９を介してデジタル写真用カメラＰの入力ユニット５３の入力６０へ送信するための出力５８が備わる。図４のスキームは、リモート・コントロール信号のための入力６０が備えられている商業的に入手可能な任意のカメラに採用することが可能である。処理ユニット５４を採用して、従来的なカメラのシャッタのトリガに適した任意の態様でシャッタ・レリーズ信号Ｓを構成することが可能である。
【００６０】
図５は、内蔵カメラ・アクチュエータ６１がカメラ作動信号のトリガに使用される本発明のさらなる実施態様を描いた概略図である。それによれば、デジタル写真用カメラＰの入力ユニット５３が、ライン５０を介してマスタ・クロック信号Ｍを入力６０において受信するべく適応されるだけでよい。
【００６１】
図６および７は、本発明の方法に従ってデジタル写真用カメラＰを用いて写真を取り込むための信号シーケンスを図示している。これらの例においては、物理ディスプレイ１３上の画像が、図２のスキームに従って生成されることを前提とする。したがって、ビデオ・カメラの記録のトリガに使用されるトリガ信号Ｒが、デジタル写真用カメラＰのためのカメラ同期信号Ｃ１、Ｃ２、Ｃ３、およびＣ４としても使用されることが可能（または、それらに対応することが可能）である。図２の具体的なスキームにおいては、これに示されているすべてのカメラ同期信号が任意タイプのデジタル写真用カメラに適するわけではないことに注意しなければならない。たとえば、広告掲示板のディスプレイ１３上に示されている画像の写真を信頼できる形で取り込むために、ローリング・シャッタ型デジタル写真用カメラは、通常、約３．３ミリ秒の画像フレーム持続時間を必要とする。図２のスキームにおいては、５ミリ秒の画像フレーム持続時間に対応するＳ１からＳ４までの４つの連続するスロットの中で画像フィードＦ０が示されることから、カメラ同期信号Ｃ１においてのみこの条件が満たされる。これに対して、カメラ同期信号Ｃ２、Ｃ３、およびＣ４に対応する画像は、それぞれ１つの１．２５ミリ秒の持続時間のスロットの中でのみ示される。これらのフレームの写真を取り込むためには、好ましくは、グローバル・シャッタ型デジタル写真用カメラを頼る必要がある。
【００６２】
図６に示されている例の目的のため、ここで、デジタル写真用カメラＰによってメイン・フィードＦ０の写真のみが撮影されることを前提とする。それによれば、図６ａは、対応する、２０ミリ秒の時間間隔によって分離される方形パルスを包含するカメラ同期信号Ｃ１を示している。したがって、図６ａにおける２つの方形パルスの間の時間間隔は、図２に図示されている２０ミリ秒の期間に対応する。
【００６３】
図６ｂは、たとえば、図１および４のリモート・コントロール５１によって、または図５のカメラＰの作動ボタン６１によって生成される約１６０ミリ秒の持続時間のカメラ作動信号Ａを図示している。
【００６４】
本発明の方法を実装している処理ユニットは、図６ｃのシャッタ・レリーズ信号Ｓを生成する。図６に図示されている例においては、シャッタ・レリーズ信号Ｓが、結果として８つの方形パルスをもたらすカメラ同期信号Ｃ１およびカメラ作動信号Ａの交差相関であり、それらを使用して一連の８つの写真をトリガすることが可能であり、それぞれの写真は、図２のシーケンスのメイン・フィードＦ０の画像のみを取り込むべくタイミング設定される。時間ラインｔ１によって示されているとおり、シャッタ・レリーズ信号Ｓのパルスは、カメラ同期信号Ｃ１のパルスと同期されており、上に述べられているとおりそれは、マスタ・クロック信号Ｍ自体とすることが可能である。図２のスキームが使用される場合には、このスキームにおいては、最初の４つのスロットが同一の画像、すなわちメイン・フィードＦ０の画像を表示することから、露出時間が、１．２ミリ秒のスロット期間を超えて最大４．８ミリ秒まで延長可能であることは明白である。また、１つのパルスだけが各シャッタ・レリーズ信号Ａのために作り出されるように処理ユニットが構成可能であることも明白である。
【００６５】
図７は、図６の処理スキームの代替実施態様を図示している。この実施態様においては、交差相関時に、結果としてもたらされるシャッタ・レリーズ信号Ｓもまた対応する時間間隔Δｔ（時間軸のｔ１参照）によってシフトされるように、処理ユニットが、到来するカメラ同期信号Ｃ１を、１０ミリ秒の時間間隔Δｔによってシフトするべく構成される。したがって、図２のスキームを用いて物理ディスプレイがトリガされることを前提とすると、デジタル写真用カメラＰは、メイン・フィードＦ０ではなく、スロットＦ９に対応する２番目のフィードの画像を取り込むことになる。これもまた明白であるが、この実施態様においては、先行および後続の画像スロットＦ８およびＦ１０が、それぞれ、デジタル写真用カメラＰによって取り込まれるべきではない異なる画像を示すことから、露出時間が１．２５ミリ秒に制限されなければならない。
【図１】
2022500897.tif 000003
【図２】
2022500897.tif 000004
【図３】
2022500897.tif 000005
【図４】
2022500897.tif 000006
【図５】
2022500897.tif 000007
【図６】
2022500897.tif 000008
【図７】
2022500897.tif 000009
【手続補正書】
【提出日】令和3年4月28日(2021.4.28)
【手続補正１】
【補正対象書類名】特許請求の範囲
【補正対象項目名】全文
【補正方法】変更
【補正の内容】
【特許請求の範囲】
【請求項１】
デジタル・スチル写真用カメラと、スポーツ・イベントまたはエンターテインメント・イベントに設置される物理ＬＥＤ看板またはＬＥＤ広告掲示板上に示される、前記イベントのビデオ・ストリーム内のシーンの一部として現れる代替画像コンテンツとを同期させるための方法であって：
画像データの各セットが個別の画像のシーケンスを包含する、前記画像データの少なくとも２つの異なるセットを生成することと；
マスタ・クロック信号（Ｍ）を生成することと；
前記画像データの少なくとも２つのセットの前記画像を、前記マスタ・クロック信号（Ｍ）によってトリガされる前記物理ディスプレイ上にタイムスライス多重化態様で表示することであって、それにおいて、前記画像データの少なくとも１つのセットは、前記イベントにいる直接視聴者のために意図されており、かつ前記画像データの少なくとも１つのセットは、放送視聴者のために意図されていることと；
前記放送視聴者のために意図された前記画像データのセットの前記画像の前記表示と同期されたビデオ・カメラ・ユニットを使用してビデオ・ストリームを生成することと；
前記マスタ・クロック信号（Ｍ）に基づいてカメラ同期信号（Ｃ）を生成することと、
前記デジタル・スチル写真用カメラを用いて少なくとも１つの画像を取り込むためのカメラ作動信号（Ａ）を生成することと；
前記カメラ同期信号（Ｃ）および前記カメラ作動信号（Ａ）に基づいて前記デジタル・スチル写真用カメラのための少なくとも１つのシャッタ・レリーズ信号（Ｓ）を生成することと；
前記少なくとも１つのシャッタ・レリーズ信号（Ｓ）を前記デジタル・スチル写真用カメラのシャッタ・コントロール・ユニットへ送信することと、
を包含する方法。
【請求項２】
前記シャッタ・レリーズ信号（Ｓ）は、前記カメラ同期信号（Ｃ）と前記カメラ作動信号（Ａ）の両方がアクティブのときだけのために生成される、請求項１に記載の方法。
【請求項３】
前記カメラ同期信号（Ｃ）は、前記シャッタ・レリーズ信号（Ｓ）が生成される前に前記マスタ・クロック信号（Ｍ）に関してあらかじめ決定済みの時間間隔で時間シフトされる、請求項２に記載の方法。
【請求項４】
前記シャッタ・レリーズ信号（Ｓ）は、前記シャッタ・コントロール・ユニットへ送信される前にあらかじめ決定済みの時間間隔で時間シフトされる、請求項２に記載の方法。
【請求項５】
複数のシャッタ・レリーズ信号（Ｓ）が生成される、請求項１乃至４のいずれか一項に記載の方法。
【請求項６】
前記マスタ・クロック信号（Ｍ）および／または前記カメラ作動信号（Ａ）は、方形パルスを包含する、請求項１乃至５のいずれか一項に記載の方法。
【請求項７】
デジタル・スチル写真用カメラと、スポーツ・イベントまたはエンターテインメント・イベントに設置される物理ＬＥＤ看板またはＬＥＤ広告掲示板上に示される、前記イベントのビデオ・ストリーム内のシーンの一部として現れる代替画像コンテンツとを同期させるためのデバイスであって、前記代替画像コンテンツの画像データの少なくとも１つのセットが、前記イベントにいる直接視聴者のために意図されており、かつ前記代替画像コンテンツの画像データの少なくとも１つのセットが、放送視聴者のために意図されており、前記ビデオ・ストリームが、前記放送視聴者のために意図された前記画像データのセットの画像の表示と同期されたビデオ・カメラ・ユニットを使用して生成され、それにおいて前記同期させるためのデバイスが、
外部マスタ・クロック信号（Ｍ）に基づいてデータを受信するための第１の入力（５４）と、
カメラ作動信号（Ａ）を受信するための第２の入力（５５）と、
前記外部マスタ・クロック信号（Ｍ）に基づき、かつ前記データに基づいてカメラ同期信号（Ｃ）を生成するため、および前記カメラ同期信号（Ｃ）および前記カメラ作動信号（Ａ）に基づいてデジタル・スチル写真用カメラ（Ｐ）のための少なくとも１つのシャッタ・レリーズ信号（Ｓ）を生成するための処理ユニットと、
前記シャッタ・レリーズ信号（Ｓ）を前記デジタル・スチル写真用カメラ（Ｐ）のシャッタ・コントロールへ送信するための出力（５８）と、
包含するデバイス。
【請求項８】
前記第１の入力（５４）と、前記カメラ作動信号（Ａ）を受信するための前記第２の入力（５５）と、前記少なくとも１つのシャッタ・レリーズ信号（Ｓ）を生成するための前記処理ユニットと、前記出力（５８）は、前記出力（５８）を介して前記デジタル・スチル写真用カメラ（Ｐ）と外部接続可能な別体のハウジング（５７）内に統合される、請求項７に記載のデバイス。
【請求項９】
前記第１の入力（５４）と、前記カメラ作動信号（Ａ）を受信するための前記第２の入力（５５）と、前記少なくとも１つのシャッタ・レリーズ信号（Ｓ）を生成するための前記処理ユニットと、前記出力（５８）は、前記デジタル・スチル写真用カメラ（Ｐ）内に統合される、請求項７に記載のデバイス。
【請求項１０】
前記第２の入力（５８）は、前記デジタル・スチル写真用カメラ（Ｐ）の作動ボタン（６１）から前記カメラ作動信号（Ａ）を受信するための内部入力として構成される、請求項９に記載のデバイス。
【請求項１１】
前記第２の入力（５５）は、リモート・コントロール（５１）から前記カメラ作動信号（Ａ）を受信する外部入力として構成される、請求項７乃至９のいずれか一項に記載のデバイス。
【請求項１２】
前記第２の入力（５５）は、前記ハウジング上に配された作動ボタンから前記カメラ作動信号（Ａ）を受信する、前記ハウジング（５７）内の内部入力として構成される、請求項８に記載のデバイス。
【国際調査報告】
2022500897.tif 000010
2022500897.tif 000011
2022500897.tif 000012